(57)【特許請求の範囲】
【請求項１】
アクセス・ネットワーク装置によって、ベアラに対応するゲートウェイ装置の識別子を取得するステップと、
同一の前記取得した識別子に対応するベアラからベアラの一部を選択するステップと、
前記アクセス・ネットワーク装置によってカバーされるセルの輻輳状態情報を前記ベアラの一部のみを介して前記ゲートウェイ装置に報告するステップと、
を含む、輻輳状態報告方法。
【請求項２】
前記アクセス・ネットワーク装置によってカバーされるセルの輻輳状態情報を前記識別子に対応する前記ベアラからのベアラの一部を介して前記ゲートウェイ装置に報告するステップは、
前記アクセス・ネットワーク装置によってカバーされる前記セルの前記輻輳状態情報を、前記識別子に対応する前記ベアラからの１つのベアラを介して前記ゲートウェイ装置に報告するステップ
を含む、請求項１に記載の方法。
【請求項３】
前記アクセス・ネットワーク装置によって、前記ベアラに対応する前記ゲートウェイ装置の識別子を取得するステップは、
前記アクセス・ネットワーク装置によって、ベアラ確立応答を受信するステップであって、前記ベアラ確立応答はベアラ確立要求に従って可動性管理エンティティにより返却され、前記ベアラ確立要求は、前記ベアラの確立を要求するために前記アクセス・ネットワーク装置により送信されるステップと、
前記ゲートウェイ装置の識別子を前記ベアラ確立応答から取得するステップと、
を含む、請求項１に記載の方法。
【請求項４】
前記アクセス・ネットワーク装置によって、前記ベアラに対応する前記ゲートウェイ装置の識別子を取得するステップは、
前記アクセス・ネットワーク装置によって、ベアラ生成メッセージを受信するステップであって、前記ベアラ生成メッセージはベアラ生成命令に従って可動性管理エンティティにより生成され、前記ベアラ生成命令は前記ベアラの生成を要求するためにコア・ネットワーク側のネットワーク要素により送信されるステップと、
前記ゲートウェイ装置の識別子を前記ベアラ生成メッセージから取得するステップと、
を含む、請求項１に記載の方法。
【請求項５】
前記アクセス・ネットワーク装置によって、前記ベアラに対応する前記ゲートウェイ装置の識別子を取得するステップは、
ソース・アクセス・ネットワークからターゲット・アクセス・ネットワークへのユーザ機器のハンドオーバ・プロセスの間に、前記ターゲット・アクセス・ネットワークに存在する前記アクセス・ネットワーク装置により、前記ベアラに対応する前記ゲートウェイ装置の識別子を受信するステップであって、前記ベアラに対応する前記ゲートウェイ装置の識別子が前記ソース・アクセス・ネットワークにおけるアクセス・ネットワーク装置によって送信されるステップ
または、
ソース・アクセス・ネットワークからターゲット・アクセス・ネットワークへのユーザ機器のハンドオーバ・プロセスの間に、前記ターゲット・アクセス・ネットワークに存在する前記アクセス・ネットワーク装置により、前記ベアラに対応する前記ゲートウェイ装置の識別子を受信するステップであって、前記ベアラに対応する前記ゲートウェイ装置の識別子が前記ターゲット・アクセス・ネットワークに存在する可動性管理エンティティにより送信されるステップ
を含む、請求項１に記載の方法。
【請求項６】
前記アクセス・ネットワーク装置によって、前記ベアラに対応する前記ゲートウェイ装置の識別子を取得するステップは、
前記アクセス・ネットワーク装置によって、初期コンテキスト・メッセージを受信するステップであって、前記初期コンテキスト・メッセージはサービス要求に従って可動性管理エンティティにより返され、前記サービス要求は前記アクセス・ネットワーク装置によって送信されるステップと、
前記ベアラに対応する前記ゲートウェイ装置の識別子を前記初期コンテキスト・メッセージから取得するステップと、
を含む、請求項１に記載の方法。
【請求項７】
前記アクセス・ネットワーク装置によって、前記ベアラに対応する前記ゲートウェイ装置の識別子を取得するステップは、
前記アクセス・ネットワーク装置によって、前記ベアラを介してコア・ネットワーク側のネットワーク要素により送信されたダウンリンク・データ・パケットを受信するステップと、
前記ゲートウェイ装置の識別子を前記ダウンリンク・データ・パケットから取得するステップと、
を含む、請求項１に記載の方法。
【請求項８】
前記ダウンリンク・データ・パケットは、前記コア・ネットワーク側の前記ネットワーク要素により送信された第１のダウンリンク・データ・パケットである、請求項７に記載の方法。
【請求項９】
ベアラに対応するゲートウェイ装置の識別子を取得するように構成された取得ユニットと、
同一の前記取得した識別子に対応するベアラからベアラの一部を選択し、アクセス・ネットワーク装置によってカバーされるセルの輻輳状態情報を、前記ベアラの一部のみを介して前記ゲートウェイ装置に報告するように構成された送信ユニットと、
を備える、アクセス・ネットワーク装置。
【請求項１０】
前記取得ユニットは特に、
ベアラ確立応答を受信し、
前記ゲートウェイ装置の識別子を前記ベアラ確立応答から取得する
ように構成され、
前記ベアラ確立応答はベアラ確立要求に従って可動性管理エンティティにより返却され、前記ベアラ確立要求は、前記ベアラの確立を要求するために前記アクセス・ネットワーク装置により送信される、
請求項９に記載のアクセス・ネットワーク装置。
【請求項１１】
前記取得ユニットは特に、
ベアラ生成メッセージを受信し、
前記ゲートウェイ装置の識別子を前記ベアラ生成メッセージから取得する
ように構成され、
前記ベアラ生成メッセージはベアラ生成命令に従って可動性管理エンティティにより生成され、前記ベアラ生成命令は前記ベアラの生成を要求するためにコア・ネットワーク側のネットワーク要素により送信される、
請求項９に記載のアクセス・ネットワーク装置。
【請求項１２】
前記取得ユニットは特に、ソース・アクセス・ネットワークからターゲット・アクセス・ネットワークへのユーザ機器のハンドオーバ・プロセスの間に、前記ターゲット・アクセス・ネットワークに存在する前記アクセス・ネットワーク装置により、前記ベアラに対応する前記ゲートウェイ装置の識別子を受信するように構成され、前記ベアラに対応する前記ゲートウェイ装置の識別子が前記ソース・アクセス・ネットワークにおけるアクセス・ネットワーク装置によって送信されるか、
または、
前記取得ユニットは特に、ソース・アクセス・ネットワークからターゲット・アクセス・ネットワークへのユーザ機器のハンドオーバ・プロセスの間に、前記ターゲット・アクセス・ネットワークに存在する前記アクセス・ネットワーク装置により、前記ベアラに対応する前記ゲートウェイ装置の識別子を受信するように構成され、前記ベアラに対応する前記ゲートウェイ装置の識別子が前記ターゲット・アクセス・ネットワークに存在する可動性管理エンティティにより送信される、
請求項９に記載のアクセス・ネットワーク装置。
【請求項１３】
前記取得ユニットは特に、
ユーザ機器がアイドル状態から接続状態へのハンドオーバを実施したとき、初期コンテキスト・メッセージを受信し、
前記ベアラに対応する前記ゲートウェイ装置の識別子を前記初期コンテキスト・メッセージから取得する
ように構成され、
前記初期コンテキスト・メッセージは前記アクセス・ネットワーク装置により送信されたサービス要求に従って可動性管理エンティティにより返される、
請求項９に記載のアクセス・ネットワーク装置。
【請求項１４】
前記取得ユニットは特に、
前記ベアラを介してコア・ネットワーク側のネットワーク要素により送信されたダウンリンク・データ・パケットを受信し、
前記ゲートウェイ装置の識別子を前記ダウンリンク・データ・パケットから取得する
ように構成された、請求項９に記載のアクセス・ネットワーク装置。
【請求項１５】
前記送信ユニットは特に、前記アクセス・ネットワーク装置によりカバーされるセルが輻輳しているとき、前記識別子に対応する前記ベアラからの１つのベアラを介して前記輻輳状態情報を前記ゲートウェイ装置に報告するように構成された、請求項９に記載の前記アクセス・ネットワーク装置。
【発明の詳細な説明】
【技術分野】
【０００１】
本発明の諸態様は通信の分野に関し、特に、輻輳状態報告方法およびアクセス・ネットワーク装置に関する。
【背景技術】
【０００２】
今日のロング・ターム・エボリューション（Ｌｏｎｇ  Ｔｅｒｍ  Ｅｖｏｌｕｔｉｏｎ、略してＬＴＥ）システムでは、ユーザ機器（Ｕｓｅｒ  Ｅｑｕｉｐｍｅｎｔ、ＵＥ）がパケット切換（Ｐａｃｋｅｔ  Ｓｗｉｔｃｈｅｄ、略してＰＳ）サービスを実施するとき、高度ユニバーサル移動通信システム地上無線アクセス・ネットワーク（Ｅｖｏｌｖｅｄ  ＵＭＴＳ  Ｔｅｒｒｉｔｏｒｉａｌ  Ｒａｄｉｏ  Ａｃｃｅｓｓ  Ｎｅｔｗｏｒｋ、略してＥ−ＵＴＲＡＮ）システム装置のｅＮｏｄｅＢ（ｅＮｏｄｅＢ、略してｅＮＢ）、可動性管理エンティティ（Ｍｏｂｉｌｉｔｙ  Ｍａｎａｇｅｍｅｎｔ  Ｅｎｔｉｔｙ、略してＭＭＥ）およびサービング・ゲートウェイ（Ｓｅｒｖｉｎｇ  Ｇａｔｅｗａｙ、略してＳ−ＧＷ）を介して、パケット・データ・ネットワーク・ゲートウェイ（Ｐａｃｋｅｔ  Ｄａｔａ  Ｎｅｔｗｏｒｋ  Ｇａｔｅｗａｙ、略してＰ−ＧＷ）およびポリシ課金ルール機能（Ｐｏｌｉｃｙ  ａｎｄ  Ｃｈａｒｇｉｎｇ  Ｒｕｌｅｓ  Ｆｕｎｃｔｉｏｎ、略してＰＣＲＦ）装置等とのデータプレーン送信トンネルが制御シグナリングを介して確立される。
【０００３】
換言すれば、ＵＥは最初にアタッチメント・プロセス（ａｔｔａｃｈｍｅｎｔ  ｐｒｏｃｅｓｓ）を介してコア・ネットワークにアクセスし、コア・ネットワークにアクセスするプロセスの間に、ＭＭＥは、ユーザ機器のデータ送信のために、アクセス・ポイント（Ａｃｃｅｓｓ  Ｐｏｉｎｔ  Ｎａｍｅ、略してＡＰＮ）に基づいて、プロセスを確立するパケット・データ・ネットワーク（Ｐａｃｋｅｔ  Ｄａｔａ  Ｎｅｔｗｏｒｋ、略してＰＤＮ）接続を開始し、次いで、データプレーン送信トンネル、即ち、ユーザ機器のデータ・フローを運搬するベアラを確立することができる。
【０００４】
しかし、無線ネットワークにデプロイされた各セル（ｃｅｌｌ）の容量は有限であるので、輻輳がユーザ機器の過度なアクセスから生ずることがある。例えば、セルは（ＵＥ１、ＵＥ２、ＵＥ３・・・ＵＥＮ）のような多数のユーザ端末を含み、各ＵＥはｅＮＢを介して複数のベアラを使用し、それにより、容易に当該セルの輻輳につながる。
【０００５】
今日では、コア・ネットワーク側のゲートウェイ装置がセルの輻輳状態を学習する方法が２つしかない。１つの方法は、セルが輻輳しているとき、ｅＮＢのようなアクセス・ネットワーク装置が輻輳通知メッセージを（ＭＭＥまたはＳＧＳＮのような）可動性管理エンティティに送信し、当該セルが輻輳していることを当該コア・ネットワーク側のゲートウェイ装置またはポリシ課金制御（Ｐｏｌｉｃｙ  ａｎｄ  Ｃｈａｒｇｉｎｇ  Ｃｏｎｔｒｏｌ、略してＰＣＣ）装置が学習した後、輻輳状態を解放するために幾つかのベアラを停止するかまたは幾つかのユーザを分離する動作を開始できるというものであり、もう１つの方法は、セルが輻輳しているとき、例えばデータ・プレーン・トンネル内のアップリンクのデータ・パケットのヘッダに輻輳状態命令を設定することによって、ｅＮＢが、ゲートウェイ装置がセル輻輳を検知するようにベアラのデータ・プレーン・トンネルを介してコア・ネットワーク側のゲートウェイ装置に通知メッセージを送信し、さらに、ベアラのサービス品質（Ｑｕａｌｉｔｙ  ｏｆ  Ｓｅｒｖｉｃｅ、略してＱｏＳ）またはアプリケーション・サービス・フローを修正する動作を開始するようにコア・ネットワークに通知することであり、これは輻輳状態の解放の役割を果たす。当該動作には、例えば、最大ビット・レート（Ｍａｘｉｍｕｍ  Ｂｉｔ  Ｒａｔｅ、略してＭＢＲ）および保証ビット・レート（Ｇｕａｒａｎｔｅｅｄ  Ｂｉｔ  Ｒａｔｅ、略してＧＢＲ）の削減があるがこれらに限られない。
【発明の概要】
【発明が解決しようとする課題】
【０００６】
しかし、前述の方法のうち最初のものの欠点は、現在の３ＧＰＰプロトコルには同様な処理手続きが存在せず、かかるプロセスを追加した場合には、既存のプロトコルに及ぼす影響が大きい可能性があることである。２番目のものの欠点は、輻輳状態の指示が各ベアラのアップリンクのデータ・パケットに追加され、その結果、各ゲートウェイ装置が、報告された輻輳状態を含む多数のアップリンクのデータ・パケットを受信することがあり、これにより、輻輳状態がさらに悪化し、Ｐ−ＧＷのようなゲートウェイ装置の処理の複雑性が高まり当該ゲートウェイ装置の処理性能が低下しうることである。
【課題を解決するための手段】
【０００７】
先行技術の欠点に鑑み、本発明では、先行技術におけるセル輻輳の処理でのゲートウェイ装置の処理の複雑性を軽減するための輻輳状態報告方法およびアクセス・ネットワーク装置を提供する。
【０００８】
本発明の１実施形態では、アクセス・ネットワーク装置によって、ベアラに対応するゲートウェイ装置の識別子を取得するステップと、当該識別子に対応するベアラからのベアラの一部を介して当該アクセス・ネットワーク装置によってカバーされるセルの輻輳状態情報を当該ゲートウェイ装置に報告するステップとを含む輻輳状態報告方法を提供する。
【０００９】
本発明の１実施形態では、ベアラに対応するゲートウェイ装置の識別子を取得するように構成された取得ユニットと、当該識別子に対応するベアラからのベアラの一部を介してアクセス・ネットワーク装置によってカバーされるセルの輻輳状態情報を当該ゲートウェイ装置に報告するように構成された送信ユニットとを備えたアクセス・ネットワーク装置を提供する。
【００１０】
前述の技術的解決策から分かるように、本発明の諸実施形態における輻輳状態報告方法およびアクセス・ネットワーク装置は、コア・ネットワーク側のゲートウェイ装置の識別子を事前に取得し、次いで、当該識別子に対応するベアラからのベアラの一部を介して当該アクセス・ネットワーク装置によってカバーされるセルの輻輳状態情報を当該ゲートウェイ装置に報告することができ、それにより、先行技術におけるセル輻輳の処理での当該ゲートウェイ装置の処理の複雑性が減り、当該セル輻輳を処理するときに当該ゲートウェイ装置を簡略化することができ、当該ゲートウェイ装置の処理性能をより改善することができる。
【００１１】
本発明の技術的解決策をより明確に説明するために、以下では諸実施形態で使用する添付図面を簡単に説明する。明らかに、以下の添付図面は本発明の幾つかの実施形態の添付図面にすぎず、当業者は創造的作業なしにこれらの添付図面から本発明の技術的解決策の他の図面を導出することができる。
【図面の簡単な説明】
【００１２】
【図１】本発明の輻輳状態報告方法が適用されるシーン・グラフを示す図である。
【図２】本発明におけるユーザ端末のユーザ・プレーンのデータ・フロー（ｕｓｅｒ  ｐｌａｎｅ  ｄａｔａ  ｆｌｏｗ）の略図である。
【図３】本発明におけるユーザ端末のＰＤＮ接続の略図である。
【図４】本発明の１実施形態に従う輻輳状態報告方法の流れ図である。
【図５Ａ】本発明の別の実施形態に従う輻輳状態報告方法の流れ図である。
【図５Ｂ】本発明の別の実施形態に従う輻輳状態報告方法の流れ図である。
【図６Ａ】本発明の別の実施形態に従う輻輳状態報告方法の流れ図である。
【図６Ｂ】本発明の別の実施形態に従う輻輳状態報告方法の流れ図である。
【図７】本発明の別の実施形態に従う輻輳状態報告方法の流れ図である。
【図８】本発明の別の実施形態に従う輻輳状態報告方法の流れ図である。
【図９】本発明の別の実施形態に従うアクセス・ネットワーク装置の略構造図である。
【発明を実施するための形態】
【００１３】
本発明の目的、技術的解決策、および利点をより明確にするために、以下では本発明の諸実施形態の添付図面を参照して本発明の技術的解決策を明確かつ十分に説明する。明らかに、説明する以下の諸実施形態は本発明の諸実施形態の一部である。以下の本発明の諸実施形態に基づいて、当業者は、創造的作業なしに技術的特徴の一部または全部を均等に変更することによって、本発明の技術的課題を解決し本発明の技術的効果を実現できる他の実施形態を得ることができ、これらの夫々の実施形態は本発明の保護範囲に入る。
【００１４】
図１に示すように、今日では、ロング・ターム・エボリューション・ネットワーク（ＬＴＥ）のコア・ネットワークは主に、ＭＭＥ、Ｓ−ＧＷ、およびＰ−ＧＷである３つの論理機能エンティティを含む。
【００１５】
ＭＭＥは、非アクセス層（Ｎｏｎ−Ａｃｃｅｓｓ−Ｓｔｒａｔｕｍ、略してＮＡＳ）シグナリングおよびＮＡＳシグナリングの暗号化、ユーザに対する一時的な識別子のローミング、追跡、割当て、安全確保および他の機能の役割を担う。これらは、今日のユニバーサル移動通信システム地上無線アクセス・ネットワーク・システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、略してＵＭＴＳ）における内部サービングＧＰＲＳサポート・ノード（Ｓｅｒｖｉｎｇ  ＧＰＲＳ  Ｓｕｐｐｏｒｔ  Ｎｏｄｅ、略してＳＧＳＮ）の制御プレーン部分に対応する。理解すべきことは、ＬＴＥアーキテクチャにおいて、ＭＭＥは制御プレーンのみを有する。換言すれば、ユーザ・プレーンのデータ・フローはＭＭＥを通過せず、ＵＭＴＳユニバーサル移動通信システム地上無線アクセス・ネットワーク（ＵＭＴＳ  Ｔｅｒｒｉｔｏｒｉａｌ  Ｒａｄｉｏ  Ａｃｃｅｓｓ  Ｎｅｔｗｏｒｋ、略してＵＴＲＡＮ）システムでは、ＳＧＳＮは制御プレーンとユーザ・プレーンの両方を同時に有し、換言すれば、ＳＧＳＮはシグナリング処理を管理するだけではなく、ユーザ・プレーン・トンネルとしても動作する。
【００１６】
ＬＴＥにおけるＳ−ＧＷは、３ＧＰＰシステム内部の局所的な可動性アンカー・ポイント（ｍｏｂｉｌｉｔｙ  ａｎｃｈｏｒ  ｐｏｉｎｔ）および３ＧＰＰシステム内部の可動性アンカー・ポイント、ならびに関連情報を合法的に監視する機能の役割を担う。
【００１７】
ＬＴＥにおけるＰ−ＧＷは、ポリシ強制、関連機能の課金および合法的な監視の役割を担い、ゲートウェイ装置の機能、即ち、ＵＭＴＳシステムにおけるゲートウェイＧＰＲＳサポート・ノード（Ｇａｔｅｗａｙ  ＧＰＲＳ  Ｓｕｐｐｏｒｔ  Ｎｏｄｅ、略してＧＧＳＮ）に対応する。
【００１８】
加えて、図１のＥ−ＵＴＲＡＮは、無線アクセス層シグナリングとユーザ・データ送信の役割を担い、ＵＴＭＳシステムにおけるアクセス・ネットワーク・システムＵＴＲＡＮに対応する。
【００１９】
図２は、本発明におけるユーザ端末のユーザ・プレーンのデータ・フローの略図を示す。図２に示すように、各セル（ｃｅｌｌ）が複数のＵＥを含み、パケット・データ・サービスを実施するとき、各ＵＥは、制御シグナリング（図２に示すリンク１）によりｅＮＢ、ＭＭＥ、Ｓ−ＧＷ、Ｐ−ＧＷおよびＰＣＣならびに他の装置を介してユーザ・データ送信トンネル（図２に示すリンク２、リンク３）を確立し、ＵＥが送信したサービス・データを、ユーザ・データ送信トンネルを介して送信することができる。
【００２０】
通常、ＵＥが取付けプロセス（ａｔｔａｃｈｉｎｇ  ｐｒｏｃｅｓｓ）を介してネットワークにアクセスし、当該ネットワークにアクセスするプロセスの間に、ＭＭＥが、ＡＰＮに基づいて、ＵＥのデータ送信のために、（例えばユーザ・データ送信トンネルのエンドポイント識別子を割り当てることによって）ＰＤＮ接続確立プロセスを開始してもよく、それにより、ユーザ・データ送信トンネル、即ち、ＵＥがデータ・フローを送信するために使用するベアラを確立する。
【００２１】
先行技術では、複数のＰＤＮ接続を各ＵＥに対して確立してもよく、各ＰＤＮ接続が複数のベアラを含んでもよい。図３に示すように、ＵＥ１は１０個のベアラを確立し（図３に示す点線）、ＵＥ２は３個のベアラを確立する（図３に示す実線）。
【００２２】
ここで、ＵＥ１の１０個のベアラのうちベアラ１、ベアラ２、ベアラ３は或るＰＤＮ接続に属し、ベアラ４とベアラ５は別のＰＤＮ接続に属し、当該２つのＰＤＮ接続の両方がゲートウェイ装置Ｐ−ＧＷ１に接続され、ＵＥ１の１０個のベアラのうちベアラ６、ベアラ７、ベアラ８はＰ−ＧＷ２とＰＤＮ接続を確立し、ベアラ９およびベアラ１０はＰ−ＧＷ３と接続を確立する。
【００２３】
確かに、ＵＥ１を有する同一のセル内の他の端末装置が、Ｐ−ＧＷ１、Ｐ−ＧＷ２、Ｐ−ＧＷ３と（ＵＥ２のベアラのような）ベアラを確立してもよい。
【００２４】
この時点で、ＵＥ１およびＵＥ２が存在するセルが輻輳している場合、輻輳状態を報告する今日の方法は、ＵＥ１の１０個のベアラにおける全てのアップリンクのデータ・パケットにおいて輻輳状態を示す情報をｅＮＢが設定する必要があり、ＵＥ１を有する同一の輻輳セルに属する装置のベアラにおけるアップリンクのデータ・パケットにおいて輻輳状態を示す情報も設定されるというものかもしれない。したがって、Ｐ−ＧＷ１、Ｐ−ＧＷ２、Ｐ−ＧＷ３のような各ゲートウェイ装置が、報告された輻輳状態を含む多数のアップリンクのデータ・パケットを受信する可能性があり、これが輻輳状態を悪化させ、当該ゲートウェイ装置Ｐ−ＧＷの処理の複雑性を高め、当該ゲートウェイ装置の処理性能を低下させることとなりうる。したがって、本発明の諸実施形態では輻輳状態報告方法を提供する。当該方法は、先行技術における輻輳状態が悪化するという問題が解決される。
【００２５】
以下の実施形態におけるアクセス・ネットワーク装置が、ｅＮＢまたは無線ネットワーク・コントローラ（Ｒａｄｉｏ  Ｎｅｔｗｏｒｋ  Ｃｏｎｔｒｏｌｌｅｒ、ＲＮＣ）であってもよい。
【００２６】
図４は、本発明の１実施形態に従う輻輳状態報告方法の流れ図である。図４に示すように、本発明の当該実施形態に従う輻輳状態報告方法を以下のように説明する。
【００２７】
４０１で、ｅＮＢまたはＲＮＣのようなアクセス・ネットワーク装置が、ベアラに対応するゲートウェイ装置の識別子を取得する。
【００２８】
図３を例にとると、当該アクセス・ネットワーク装置は当該ステップで、ＵＥ１の１０個のベアラに対応するコア・ネットワーク側のＰ−ＧＷ１の識別子、Ｐ−ＧＷ２の識別子、Ｐ−ＧＷ３の識別子を取得してもよく、勿論、当該アクセス・ネットワーク装置が他のＵＥのベアラに対応するＰ−ＧＷの識別子を取得してもよい。当該ベアラとＰ−ＧＷの対応関係を、当該ベアラに対応するＰ−ＧＷの識別子を取得することによって取得することができる。
【００２９】
例えば、ユーザ機器によってデフォルトのベアラを確立するプロセスの間に、デフォルトのベアラに対応するゲートウェイ装置の識別子を取得するか、または、コア・ネットワーク側のネットワーク要素によりユーザ機器の専用ベアラを確立するプロセスの間に、当該専用ベアラに対応するゲートウェイ装置の識別子を取得するか、または、ソース・アクセス・ネットワークからターゲット・アクセス・ネットワークへのユーザ機器のハンドオーバ・プロセスの間に、当該ユーザ機器のベアラに対応するゲートウェイ装置の識別子を取得するか、または、ユーザ機器のアイドル状態から接続状態への切換プロセスの間に、当該ユーザ機器のベアラに対応するゲートウェイ装置の識別子をコア・ネットワーク側で取得する。
【００３０】
前述のステップ４０１における取得方法を以下の実施形態で説明する。４０２で、ゲートウェイ装置の識別子に対応するベアラからのベアラの一部を介してアクセス・ネットワーク装置によってカバーされるセルの輻輳状態情報を当該ゲートウェイ装置に報告する。
【００３１】
例えば、当該アクセス・ネットワーク装置によりカバーされるセルが輻輳しているとき、当該セルが輻輳していることを示す当該輻輳状態情報が当該ゲートウェイ装置に報告される。当該セルが輻輳していないとき、当該セルが輻輳しておらず正常であることを示す輻輳状態情報が当該ゲートウェイ装置に報告される。当該アクセス・ネットワーク装置によってカバーされるセルの輻輳状態情報は、当該ゲートウェイ装置の識別子に対応するベアラからのベアラの一部を介して当該ゲートウェイ装置に報告される、換言すれば、当該アクセス・ネットワーク装置によってカバーされるセルの輻輳状態情報は、当該ゲートウェイ装置の識別子とベアラの対応関係に従って当該識別子に対応するベアラから選択されたベアラの一部を介して当該ゲートウェイ装置に報告される。当該ゲートウェイ装置の識別子に対応するベアラからのベアラの一部を介して、当該アクセス・ネットワーク装置によってカバーされるセルの輻輳状態情報が当該ゲートウェイ装置に報告されるとき、当該輻輳状態情報を上述のベアラの一部の全てのアップリンクのデータ・パケットに含めることができ、または、当該輻輳状態情報をアップリンクのデータ・パケットの一部に含めてもよく、本発明の当該実施形態では限定されない。
【００３２】
例えば、当該アクセス・ネットワーク装置によりカバーされるセルが輻輳しているとき、当該輻輳状態情報が、当該識別子に対応するベアラのベアラを介してゲートウェイ装置に報告される。
【００３３】
図３と組み合わせて、当該輻輳状態情報を、ベアラ１（ここで、当該ベアラはベアラ１乃至５のうち任意のものであってもよい）を介してＰ−ＧＷ１の識別子に対応するベアラからＰ−ＧＷ１に報告することができ、当該輻輳状態情報を、ベアラ７（ここで、当該ベアラはベアラ８または６であってもよい）を介してＰ−ＧＷ２の識別子に対応するベアラからＰ−ＧＷ２に報告することができ、当該輻輳状態情報を、ベアラ９（ここで、当該ベアラはベアラ１０であってもよい）を介してＰ−ＧＷ３の識別子に対応するベアラからＰ−ＧＷ３に報告することができる。例えば、輻輳状態の指示を、ベアラ１、ベアラ７、ベアラ９のアップリンクのデータ・パケットにおいて追加することができ、当該ゲートウェイ装置（Ｐ−ＧＷ１、Ｐ−ＧＷ２およびＰ−ＧＷ３）が、前述のアップリンクのデータ・パケットを受信した後に端末が現存するセルが輻輳していることを学習してもよく、現在の輻輳セルの輻輳を解放する解決策を実施する。
【００３４】
他の実施形態では、本明細書でのｅＮＢがベアラ１、ベアラ３、ベアラ６、ベアラ９、ベアラ１０等のようなＵＥ１のベアラの一部を選択して、当該輻輳状態情報をＰ−ＧＷ１、Ｐ−ＧＷ２、Ｐ−ＧＷ３に報告してもよく、または、ｅＮＢが、ＵＥ２の一部または全てのベアラを選択して当該輻輳状態情報をＰ−ＧＷ１、Ｐ−ＧＷ２、Ｐ−ＧＷ３に夫々報告してもよく、これにより、全てのゲートウェイ装置がセルの輻輳状態情報を学習できることが保証される。本実施形態は、アクセス・ネットワーク装置により選択されるベアラを限定するものではない。
【００３５】
本実施形態は、当該識別子に対応するベアラからのベアラの部分の量を限定するものではなく、当該量を実際の要求に従って設定してもよく、場合によっては当該アクセス・ネットワーク装置によってカバーされるセルの輻輳状態情報を、ゲートウェイ装置の識別子に対応するベアラからのベアラを介して当該ゲートウェイ装置に報告することができる。
【００３６】
上述の実施形態から分かるように、本実施形態の輻輳状態報告方法では、コア・ネットワーク側のゲートウェイ装置の識別子が事前に取得され、次いで、アクセス・ネットワーク装置によってカバーされるセルの輻輳状態情報が、当該識別子に対応するベアラからのベアラの一部を介して当該ゲートウェイ装置に報告され、それにより、先行技術におけるセル輻輳を処理する際の当該ゲートウェイ装置の処理の複雑性が減り、当該セル輻輳を処理するときの当該ゲートウェイ装置を簡略化することができ、当該ゲートウェイ装置の処理性能を改善することができる。
【００３７】
図５Ａは、本発明の１実施形態に従う輻輳状態報告方法の流れ図を示す。図５Ａに示すように、当該実施形態の輻輳状態報告方法を以下のように説明する。
【００３８】
５０１では、当該アクセス・ネットワーク装置は、ベアラの確立を要求するためのアクセス・ネットワーク装置によって送信されたベアラ確立要求に従って可動性管理エンティティにより返されたベアラ確立応答を受信し、ゲートウェイ装置の識別子を当該ベアラ確立応答から取得する。
【００３９】
例えば、ユーザ機器によるデフォルトのベアラを確立するプロセスの間に、ｅＮＢのようなアクセス・ネットワーク装置は、当該アクセス・ネットワーク装置によって送信されたベアラ確立要求に従ってコア・ネットワーク側でＭＭＥにより返されたベアラ確立応答を受信し、当該ベアラ確立応答はゲートウェイ装置の識別子を含む。
【００４０】
５０２で、アクセス・ネットワーク装置によってカバーされるセルの輻輳状態情報が、ゲートウェイ装置の識別子に対応するベアラからのベアラの一部を介して当該ゲートウェイ装置に報告される。
【００４１】
同一のゲートウェイ装置でベアラを確立するプロセスの間に、当該アクセス・ネットワーク装置はベアラの一部を選択して、当該輻輳状態情報を当該ゲートウェイ装置に報告するのが好ましい。
【００４２】
図３と組み合わせて、ＵＥ１、ＵＥ２のような２つの端末ＵＥがｅＮＢに存在し、図３に示すように、ベアラ１、ベアラ２、ベアラ３、・・・ベアラ１０等のような１０個のベアラがサービスを実施するためにＵＥ１で確立され、これらの１０個のベアラがＰ−ＧＷ１、Ｐ−ＧＷ２、Ｐ−ＧＷ３のような３つのゲートウェイ装置を介して外部アプリケーションによりサービスを実行する。
【００４３】
同様に、ＵＥ２上のベアラも、当該３つのゲートウェイ装置を介して外部アプリケーションによりサービスを実行する。簡単のため、黒の実線を用いてベアラを示してある。
【００４４】
このように、各ユーザのベアラが使用するＰ−ＧＷの識別子をｅＮＢに記録してもよい。例えば、表を用いて記録する。
【００４５】
次に、ＵＥ１およびＵＥ２が存在するｅＮＢのセルが輻輳しているとき、当該アクセス・ネットワーク装置がＵＥ１のベアラ１、ベアラ６およびベアラ９を選択して、Ｐ−ＧＷ１、Ｐ−ＧＷ２、Ｐ−ＧＷ３のようなゲートウェイ装置にユーザ・プレーンのデータ・パケットがどれで送信されているかを通知してもよい。ＵＥ１の他のベアラ、ベアラ２、ベアラ３・・・上のデータ・パケットがもはや輻輳状態の指示を含む必要はない。即ち、これらのデータ・パケットは輻輳状態情報の報告を続けない。ＵＥ２のベアラは輻輳状態の指示を含む必要もない。即ち、ＵＥ２のベアラは輻輳状態情報の報告を続けない。
【００４６】
あるいは、ネットワーク側に輻輳状態を報告するために、ユーザ・データを３つのゲートウェイ装置（Ｐ−ＧＷ）に送信するＵＥ２のベアラ（図３の黒の実線で示されているベア）を選択して当該輻輳状態の指示を含める。
【００４７】
あるいは、ＵＥ１のベアラの一部とＵＥ２のベアラの一部を選択して当該３つのゲートウェイ装置に通知する。例えば、ＵＥ１のベアラ１とベアラ８を選択して輻輳状態の指示をデータ・パケットのヘッダに含め、Ｐ−ＧＷ３に対しては、ＵＥ２のベアラを選択して輻輳状態情報を通知するプロセスを実行することができる。
【００４８】
あるいは、複数のベアラを選択して当該３つのゲートウェイ装置に通知することができる。例えば、輻輳をＰ−ＧＷ１等に通知するために、ＵＥ１のベアラ１とベアラ２を選択して輻輳状態の指示をそのデータ・パケットのヘッダに含める。
【００４９】
以上の方法は例示の目的のためのものにすぎず、本発明の当該実施形態は、ゲートウェイ装置に通知できる限り、具体的な実行方法を限定するものではない。
【００５０】
上述の実施形態から分かるように、本実施形態の輻輳状態報告方法では、ＵＥのデフォルトのベアラを確立するプロセスの間に、コア・ネットワーク側のゲートウェイ装置の識別子が取得され、アクセス・ネットワーク装置によってカバーされるセルの輻輳状態情報が、当該ゲートウェイ装置の識別子に対応するベアラからのベアラの一部を介して当該ゲートウェイ装置に報告され、それにより、先行技術におけるセル輻輳を処理する際のゲートウェイ装置の処理の複雑性が減り、当該セル輻輳を処理するときに当該ゲートウェイ装置を簡略化することができ、当該ゲートウェイ装置の処理性能を改善することができ、さらに先行技術における輻輳が悪化する問題を回避することができる。
【００５１】
図５Ｂは、本発明の別の実施形態に従う輻輳状態報告方法の流れ図を示す。図５Ｂに示すように、当該実施形態の輻輳状態報告方法を以下のように説明する。
【００５２】
５１１で、ＵＥは、ＵＥの識別子を含むＰＤＮ接続確立要求を、ｅＮＢ（ｅＮｏｄｅＢ）を介してコア・ネットワーク側のＭＭＥに送信する。
【００５３】
５１２で、ＭＭＥが、ＰＤＮ接続確立要求に従って生成セッション要求をＳ−ＧＷに送信し、生成セッション要求の応答、即ち、生成セッション応答を受信する。当該生成セッション応答は、生成セッション・プロセスを完了した後にＳ−ＧＷにより送信される。当該生成セッション要求は、ＵＥに向かう生成セッション・プロセスを完了するために当該コア・ネットワーク側でＳ−ＧＷ、Ｐ−ＧＷ、ＰＣＲＦにより相互に使用される。
【００５４】
５１３で、ｅＮＢは、ＰＤＮ接続確立要求に従ってＭＭＥにより送信されたベアラ確立応答を受信する。当該ベアラ確立応答は、ゲートウェイ装置の識別子（即ち、Ｐ−ＧＷの識別子）を含む。
【００５５】
確かに、ｅＮＢは、当該ベアラ確立応答に従って、ＵＥと再構成プロセスを実現することができる。
【００５６】
実際の適用では、生成セッション要求とベアラ確立応答の両方が、国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、略してＩＭＳＩ）等のようなＵＥの識別子を含むことに留意されたい。
【００５７】
加えて、当該実施形態におけるＰ−ＧＷの識別子が、Ｐ−ＧＷのＩＰアドレス、またはユーザ・プレーンのデータトンネル・エンドポイント識別子（ＴＥＩＤ）、または完全修飾ドメイン名（Ｆｕｌｌｙ  Ｑｕａｌｉｆｉｅｄ  Ｄｏｍａｉｎ  Ｎａｍｅ、略してＦＱＤＮ）等であってもよい。勿論、当該識別子が、上で列挙した識別子の組合せであってもよい。
【００５８】
５１４で、ｅＮＢがゲートウェイ装置の取得された識別子を格納し、当該ゲートウェイ装置の識別子に対応するベアラからのベアラの一部を介してアクセス・ネットワーク装置によってカバーされるセルの輻輳状態情報を当該ゲートウェイ装置に報告する。
【００５９】
換言すれば、同一の識別子を有するゲートウェイ装置を対象として、当該ゲートウェイ装置の識別子に対応するベアラからベアラの一部を選択して輻輳状態情報を当該ゲートウェイ装置に報告する。
【００６０】
当該実施形態の前述のステップ５１１および５１２は先行技術におけるセッション・プロセスの生成ステップと同一であり、本実施形態はここでは概略的にしか説明されていないことに留意されたい。
【００６１】
さらに、ソース・アクセス・ネットワークからターゲット・アクセス・ネットワークへのＵＥのハンドオーバ・プロセスの間に、ベアラに対応するゲートウェイ装置の識別子が取得される。例えば、当該ソース・アクセス・ネットワークから当該ターゲット・アクセス・ネットワークへの当該ＵＥのハンドオーバ・プロセスの間に、当該ターゲット・アクセス・ネットワーク内に存在するアクセス・ネットワーク装置は、当該ソース・アクセス・ネットワーク内のアクセス・ネットワーク装置によって送信されたベアラに対応するゲートウェイ装置の識別子を受信する。換言すれば、当該ソース・アクセス・ネットワークから別のターゲット・アクセス・ネットワークへのＵＥのハンドオーバ・プロセスの間に、当該ＵＥに接続されたアクセス・ネットワーク装置が変化したが、コア・ネットワーク側のＭＭＥが変化しておらず、データ送信のインタフェースが２つのアクセス・ネットワーク装置の間で確立されている場合には、当該ＵＥに接続されている当該ターゲット・アクセス・ネットワーク側のアクセス・ネットワーク装置が、データ送信インタフェースを介して当該ソース・アクセス・ネットワーク内の当該アクセス・ネットワーク装置により送信されたゲートウェイ装置の識別子を受信するか、または、ソース・アクセス・ネットワークからターゲット・アクセス・ネットワークへのＵＥのハンドオーバ・プロセスの間に、当該ターゲット・アクセス・ネットワークに存在するアクセス・ネットワーク装置が、当該ターゲット・アクセス・ネットワークに存在する可動性管理エンティティによって送信されたベアラに対応するゲートウェイ装置の識別子を受信する。例えば、ＭＭＥは、ＵＥに対応するｅＮＢが変化したと学習したときに、ゲートウェイ装置の識別子を現在のｅＮＢに直接送信することができる。
【００６２】
上述の実施形態から分かるように、本実施形態の輻輳状態報告方法では輻輳状態がさらに悪化するという先行技術における問題を回避することができ、現在のプロトコルに対して多くの変更をもたらさず、その結果、セル輻輳の問題をゲートウェイ装置により迅速に処理することができる。
【００６３】
図６Ａは、本発明の別の実施形態に従う輻輳状態報告方法の流れ図を示す。図６Ａに示すように、当該実施形態の輻輳状態報告方法を以下のように説明する。
【００６４】
６０１で、アクセス・ネットワーク装置がベアラ生成メッセージを受信し、当該生成ベアラ・メッセージが、ベアラの生成を要求するためのコア・ネットワーク側のネットワーク要素によって送信されたベアラ生成命令に従って可動性管理エンティティにより送信され、当該アクセス・ネットワーク装置が、ゲートウェイ装置の識別子を当該ベアラ生成メッセージから取得する。
【００６５】
例えば、コア・ネットワーク側のネットワーク要素によりＵＥに対して専用ベアラを確立するプロセスの間に、アクセス・ネットワーク装置がベアラ生成メッセージを受信し、専用ベアラの生成を要求するための当該コア・ネットワーク側の当該ネットワーク要素により送信されたベアラ生成命令に従って生成ベアラ・メッセージがＭＭＥにより送信される。当該ベアラ生成メッセージはゲートウェイ装置の識別子を含む。
【００６６】
６０２で、アクセス・ネットワーク装置によってカバーされるセルの輻輳状態情報を、ゲートウェイ装置の識別子に対応するベアラからのベアラの一部を介して当該ゲートウェイ装置に報告する。
【００６７】
当該実施形態の輻輳状態報告方法では、輻輳状態がさらに悪化するという先行技術における問題を回避することができ、現在のプロトコルに対して多くの変更をもたらさず、その結果、セル輻輳の問題をゲートウェイ装置により迅速に処理することができる。
【００６８】
図６Ｂは、本発明の別の実施形態に従う輻輳状態報告方法の流れ図を示す。図６Ｂに示すように、当該実施形態の輻輳状態報告方法を以下のように説明する。
【００６９】
６１１で、コア・ネットワーク側のＰＣＲＦがＰ−ＧＷに対するＩＰ−ＣＡＮセッション修正要求を開始し、当該Ｐ−ＧＷが当該ＩＰ−ＣＡＮセッション修正要求に従って生成専用ベア要求をＳ−ＧＷに送信する。
【００７０】
６１２で、当該Ｓ−ＧＷが生成専用ベア要求をＭＭＥに送信し、ＭＭＥが、ｅＮＢのようなアクセス・ネットワーク装置に当該生成専用ベア要求を送信する。当該生成専用ベア要求はＰ−ＧＷの識別子を含み、ｅＮＢは当該生成専用ベア要求に従って、ＵＥとの再構成プロセスを実現する。
【００７１】
６１３で、ゲートウェイ装置の取得された識別子に従って、ｅＮＢがカバーするセルの輻輳状態情報が、当該ゲートウェイ装置の識別子に対応するベアラからのベアラの一部を介して当該ゲートウェイ装置に報告される。
【００７２】
他の実施形態では、ｅＮＢによりＰ−ＧＷの識別子を取得する方法が、ＵＥがアイドル状態から接続状態に切り替わるとき、当該ＵＥのベアラに対応するゲートウェイ装置の識別子が取得されるというものであってもよい。例えば、ｅＮＢは、ｅＮＢにより送信されたサービス要求に従ってＭＭＥにより返された初期コンテキスト・メッセージを受信し、当該ベアラに対応するＰ−ＧＷの識別子を当該初期コンテキスト・メッセージから取得する。
【００７３】
別の実施形態では、ユーザ機器の専用ベアラとデフォルトのベアラの両方の確立が成功した場合には、この時点までに、ｅＮＢによりＰ−ＧＷの識別子を取得する方法が、確立されたベアラを介して（Ｐ−ＧＷのような）コア・ネットワーク側エンティティにより送信されたダウンリンク・データ・パケットが受信され、ゲートウェイ装置の識別子が当該ダウンリンク・データ・パケットから取得されるというものであってもよい。当該実施形態では、当該ダウンリンク・データ・パケットがゲートウェイ装置の識別子を含み、アクセス・ネットワーク装置が、確立されたベアを介して、コア・ネットワーク側のネットワーク要素により送信された第１のダウンリンク・データ・パケットを受信するのが好ましい。この時点までに、当該ゲートウェイ装置の識別子が当該第１のダウンリンク・データ・パケットから取得される。即ち、当該第１のダウンリンク・データ・パケットがＰ−ＧＷの識別子を含む。
【００７４】
前述の輻輳状態報告方法では、輻輳状態がさらに悪化するという先行技術における問題を回避することができ、現在のプロトコルに対して多くの変更をもたらさず、その結果、セル輻輳の問題をゲートウェイ装置により迅速に処理することができる。
【００７５】
図７は、本発明の別の実施形態に従う輻輳状態報告方法の流れ図を示す。図７に示すように、当該実施形態の輻輳状態報告方法を以下のように説明する。
【００７６】
当該実施形態では、ＵＥが移動している間にＵＥが存在するセルのハンドオーバが発生し、この時点までに、ＵＥがソース・アクセス・ネットワークからターゲット・アクセス・ネットワークに切り替わった場合、ＵＥがそれにより通信ネットワークにアクセスするｅＮＢ、ＭＭＥのような装置が全て変化する。
【００７７】
７０１で、ＵＥの移動の間に、現在のアクセス・ネットワーク内のネットワーク要素（即ち、ソースｅＮｏｄｅＢ、ソースＭＭＥのようなソース・アクセス・ネットワーク内のネットワーク要素）がＵＥにサービスできない場合、当該ＵＥに対するターゲット・アクセス・ネットワーク内のネットワーク要素に切り替わるプロセスが開始され、当該ソース・アクセス・ネットワーク内のネットワーク要素がハンドオーバ要求メッセージをソースＭＭＥに送信する。当該ハンドオーバ要求メッセージは、Ｐ−ＧＷの識別子、ＵＥの識別子、およびターゲット・アクセス・ネットワーク内のネットワーク要素の識別子を含みうるがこれらに限られない。
【００７８】
７０２で、ソースＭＭＥが、当該ターゲット・アクセス・ネットワーク内のネットワーク要素の識別子に従って、再割当て要求をターゲットＭＭＥ（図に示すターゲットＭＭＥ）に送信する。当該再割当て要求はＰ−ＧＷの識別子、ＵＥの識別子を含む。
【００７９】
７０３で、ターゲットＭＭＥが、当該再割当て要求に従って、当該ターゲット・アクセス・ネットワーク内のアクセス・ネットワーク装置（図に示すターゲットｅＮＢ）にハンドオーバ要求メッセージを送信する。当該ハンドオーバ要求メッセージはＰ−ＧＷの識別子、ＵＥの識別子を含む。
【００８０】
それに応じて、当該ターゲット・アクセス・ネットワーク内のｅＮＢのようなアクセス・ネットワーク装置が、当該ハンドオーバ要求メッセージに従って、ターゲットＭＭＥにハンドオーバ命令確認を送信する。現在のＵＥのソース・アクセス・ネットワークからターゲット・アクセス・ネットワークへのハンドオーバが、確認応答メッセージの受信後に実現される。
【００８１】
７０４で、当該ターゲット・アクセス・ネットワーク内のアクセス・ネットワーク装置がＰ−ＧＷの取得された識別子を格納し、当該ターゲット・アクセス・ネットワーク内のｅＮＢがカバーするセルの輻輳状態情報を、Ｐ−ＧＷの識別子に対応するベアラからのベアラの一部を介してＰ−ＧＷに報告する。
【００８２】
前述の輻輳状態報告方法では、輻輳状態がさらに悪化するという先行技術における問題を回避することができ、現在のプロトコルに対して多くの変更をもたらさず、その結果、セル輻輳の問題をゲートウェイ装置により迅速に処理することができる。
【００８３】
図８は、本発明の別の実施形態に従う輻輳状態報告方法の流れ図を示す。図８に示すように、当該実施形態の輻輳状態報告方法を以下のように説明する。
【００８４】
通常、データが送信されずシグナリング・プロセスが通信ネットワーク側と実施されないとき、ＵＥはアイドル状態に切り替わる。
【００８５】
ＵＥがアイドル状態に切り替わると、アクセス・ネットワーク装置に保存された、前述の実施形態におけるＵＥのコンテキスト情報とゲートウェイ装置の識別子情報が両方とも消去される。この時点までに、ＵＥがアイドル状態から接続状態に切り替わったとき、当該アクセス・ネットワーク装置がゲートウェイ装置の識別子を再度取得する必要がある。
【００８６】
実際の適用では、アイドル状態から接続状態へのＵＥのハンドオーバ・プロセスがサービス要求プロセス、または、定期的位置更新プロセスであってもよい。サービス要求プロセスを例にとって当該実施形態を説明する。
【００８７】
８０１で、ＵＥがアイドル状態から接続状態へ切り替わると、ｅＮＢのようなアクセス・ネットワーク装置がＵＥによって送信されたサービス要求を受信し、当該サービス要求をＭＭＥに送信する。
【００８８】
８０２で、ｅＮＢのようなアクセス・ネットワーク装置が初期コンテキスト・メッセージを受信し、ベアラに対応するゲートウェイ装置の識別子を当該初期コンテキスト・メッセージから取得する。当該初期コンテキスト・メッセージは、ｅＮＢのようなアクセス・ネットワークにより送信されたサービス要求に従ってコア・ネットワーク側のＭＭＥにより返される。
【００８９】
８０３で、アクセス・ネットワーク装置によってカバーされるセルの輻輳状態情報を、ゲートウェイ装置の識別子に対応するベアラからのベアラの一部を介して当該ゲートウェイ装置に報告する。
【００９０】
定期的位置更新プロセスを介してＵＥがアイドル状態から接続状態へ切り替わる場合、定期的位置更新受信メッセージを介して、ＭＭＥは、ＵＥのＰＤＮ接続によりアクセスされるゲートウェイ装置の識別子をアクセス・ネットワーク装置に通知してもよいことに留意されたい。
【００９１】
前述の輻輳状態報告方法では、アクセス・ネットワーク装置は各ゲートウェイ装置を対象とする特定のベアラを選択して、アップリンクのデータ・パケットを介して輻輳状態をネットワーク側に報告することができ、これにより、輻輳状態を報告するためにデータ・パケットを繰り返し送信する多数の動作が回避され、ゲートウェイ装置の動作が減り、エネルギ節約およびエネルギ放出減少の目的を実現することができる。
【００９２】
別の実施形態では、ＵＥのベアラの確立に成功した後、当該アクセス・ネットワーク装置が、確立されたベアを介してコア・ネットワーク側のネットワーク要素が送信したダウンリンク・データ・パケットを受信し、当該ダウンリンク・データ・パケットの何れか１つがゲートウェイ装置の識別子を含むことができ、当該ゲートウェイ装置の識別子を当該ダウンリンク・データ・パケットから取得することができる。
【００９３】
具体的には、アクセス・ネットワーク装置は、コア・ネットワーク側のネットワーク要素によって送信された第１のダウンリンク・データ・パケットを受信し、当該第１のダウンリンク・データ・パケットはゲートウェイ装置の識別子を含む。
【００９４】
当該ダウンリンク・データ・パケットに含まれるゲートウェイ装置の識別子を表１に示す。
【００９５】
【表１】
0005970723.tif 000002
【００９６】
前述の輻輳状態報告方法では、アクセス・ネットワーク装置は、各ゲートウェイ装置に代わって特定のベアラを選択してアップリンクのデータ・パケットを介して輻輳状態情報をネットワーク側に報告してもよく、これにより、輻輳状態を報告するためにデータ・パケットを繰り返し送信する多数の動作が回避され、ゲートウェイ装置の動作が減り、エネルギ節約およびエネルギ放出減少の目的が達成される。
【００９７】
他方、送信すべき多数のダウンリンクのユーザ・プレーンのデータ・パケットのみを有しアップリンクのデータ・パケットを有さない既存の端末に代わりに、前述の輻輳状態報告方法が適時に処理することができ、それによりゲートウェイ装置の処理性能が高まる。
【００９８】
加えて、アクセス・ネットワーク装置によりカバーされるセルの輻輳を検出する解決策が、当該セルのオンライン・ユーザが輻輳閾値に到達するかどうかを定期的にチェックすることで当該セルが輻輳しているかどうかを判定することであってもよいことに留意されたい。特に、セルが輻輳していることをアクセス・ネットワーク装置が検出する方法は先行技術で利用可能であり、当該実施形態では規定しない。
【００９９】
上述の実施形態の何れか１つはシステム・アーキテクチャ発展（Ｓｙｓｔｅｍ  Ａｒｃｈｉｔｅｃｔｕｒｅ  Ｅｖｏｌｕｔｉｏｎ、略してＳＡＥ）アーキテクチャを例として説明され、当該技術は例えば図５Ａ、図５Ｂ、および図６Ａ、図６Ｂで示した流れ図におけるＵＭＴＳアーキテクチャでも適用可能であり、可動性管理エンティティはＧＧＳＮであり、当該ゲートウェイ装置（ＧＧＳＮ）の識別子を、起動ＰＤＰコンテキスト受信メッセージで、パケット・データ・プロトコル（Ｐａｃｋｅｔ  Ｄａｔａ  Ｐｒｏｔｏｃｏｌ、略してＰＤＰ）コンテキスト確立プロセッサのＲＡＢ指定プロセスにおいて（ＲＮＣのような）アクセス・ネットワーク要素に通知することができる。勿論、ＧＧＳＮ識別子が当該システム・アーキテクチャのもと諸実施形態の任意の１つにおいて複数の具体的な形態を有してもよい。
【０１００】
本発明の別の態様によれば、本発明はさらにアクセス・ネットワーク装置を提供する。図９に示すように、当該アクセス・ネットワーク装置は、上述の方法の実施形態における当該アクセス・ネットワーク装置の処理手続きを実行することができる。当該アクセス・ネットワーク装置は取得ユニット９１と送信ユニット９２を備える。取得ユニット９１は、ベアラに対応するゲートウェイ装置の識別子を取得するように構成され、送信ユニット９２は、当該アクセス・ネットワーク装置によってカバーされるセルの輻輳状態情報を当該ゲートウェイ装置の識別子に対応するベアラからのベアラの一部を介して当該ゲートウェイ装置に報告するように構成される。
【０１０１】
取得ユニット９１は特に、ベアラの確立を要求するためにアクセス・ネットワーク装置により送信されたベアラ確立要求に従って可動性管理エンティティによって返されたベアラ確立応答を受信し、ゲートウェイ装置の識別子を当該ベアラ確立応答から取得するように構成されるのが好ましい。
【０１０２】
別のシナリオでは、取得ユニット９１は特に、当該ベアラの生成を要求するためにコア・ネットワーク側のネットワーク要素によって送信されたベアラ生成命令に従って可動性管理エンティティによって生成されたベアラ生成メッセージを受信し、ゲートウェイ装置の識別子を当該ベアラ生成メッセージから取得するように構成される。
【０１０３】
前述の送信ユニット９２は特に、当該アクセス・ネットワーク装置がカバーするセルが輻輳しているとき、当該識別子に対応するベアラからの１つのベアラを介して輻輳状態情報を当該ゲートウェイ装置に報告するように構成される。
【０１０４】
第３の適用可能なシナリオでは、取得ユニット９１は特に、ソース・アクセス・ネットワークからターゲット・アクセス・ネットワークへのユーザ機器のハンドオーバ・プロセスの間に、当該ターゲット・アクセス・ネットワークに存在するアクセス・ネットワーク装置によって、当該ソース・アクセス・ネットワーク内のアクセス・ネットワーク装置によって送信されたベアラに対応するゲートウェイ装置の識別子を受信するか、または、ソース・アクセス・ネットワークからターゲット・アクセス・ネットワークへのユーザ機器のハンドオーバ・プロセスの間に、当該ターゲット・アクセス・ネットワークに存在するアクセス・ネットワーク装置によって、当該ターゲット・アクセス・ネットワークに存在する可動性管理エンティティによって送信されたベアラに対応する当該ゲートウェイ装置の識別子を受信するように構成される。
【０１０５】
第４の適用可能なシナリオでは、取得ユニット９１は特に、ユーザ機器がアイドル状態から接続状態に切り替わるときに、アクセス・ネットワーク装置によって送信されたサービス要求に従って、可動性管理エンティティにより返された初期コンテキスト・メッセージを受信し、ベアラに対応するゲートウェイ装置の識別子を当該初期コンテキスト・メッセージから取得するように構成される。
【０１０６】
第５の適用可能なシナリオでは、取得ユニット９１は特に、当該ベアラを介してコア・ネットワーク側のネットワーク要素によって送信された少なくとも１つのダウンリンク・データ・パケットを受信し、ゲートウェイ装置の識別子を当該ダウンリンク・データ・パケットから取得するように構成される。取得ユニット９１が特に、当該ベアラを介して当該コア・ネットワーク側のネットワーク要素により送信された第１のダウンリンク・データ・パケットを受信し、当該ゲートウェイ装置の識別子を当該第１のダウンリンク・データ・パケットから取得するように構成されるのが好ましい。
【０１０７】
前述のアクセス・ネットワーク装置は、各ゲートウェイ装置に代わって特定のベアラを選択してアップリンクのデータ・パケットを介して輻輳状態情報をネットワーク側に報告することができ、それにより、輻輳状態を報告するためにデータ・パケットを繰り返し送信する多数の動作が回避され、ゲートウェイ装置の動作が減り、エネルギ節約およびエネルギ放出減少の目的が達成される。
【０１０８】
実際の適用では、本発明の諸実施形態におけるアクセス・ネットワーク装置はプロセッサと記憶部を備えることができる。当該プロセッサは、ベアラに対応するゲートウェイ装置の識別子を取得するように構成され、当該記憶部は、当該ゲートウェイ装置の識別子を格納し、当該ゲートウェイ装置の識別子に対応するベアラを格納する（当該ゲートウェイ装置の識別子および当該ベアラの間の対応する表を格納する等）ように構成され、当該プロセッサは、当該アクセス・ネットワーク装置によってカバーされるセルの輻輳状態情報を、当該ゲートウェイ装置の識別子に対応するベアラからのベアラの一部を介して当該ゲートウェイ装置に報告する。
【０１０９】
当該アクセス・ネットワーク装置の上述の実施形態では、夫々の機能ユニットの分割は単なる例示であり、実際の適用では、上述の様々な機能は、対応するハードウェアの構成要求のような要求またはソフトウェア実装上の都合に従って様々な機能ユニットにより実現されるように割り当てられることに留意されたい。即ち、当該アクセス・ネットワーク装置の内部構造は、前述の機能の全部または一部を実現するために様々な機能ユニットに分割される。さらに、実際の適用では、当該実施形態に従う対応する機能ユニットを対応するハードウェアにより実現してもよく、対応するハードウェアにより対応するソフトウェアを実行することで実現してもよい。例えば、前述の送信ユニットが、送信器、または対応するコンピュータ・プログラムを実行することで前述の機能を実現できる汎用プロセッサもしくは他のハードウェアのような、前述の送信ユニットの機能を実行するハードウェアであってもよい。
【０１１０】
上述の方法の実施形態におけるステップの全部または一部を、関連するハードウェアに指示するプログラムにより実装できることは当業者には理解される。当該プログラムをコンピュータ可読記憶媒体に格納することができる。当該プログラムを実行すると、上述の方法の実施形態における上述のステップが実施される。当該記憶媒体が、ＲＯＭ、ＲＡＭ、磁気ディスク、または光ディスクのような、プログラム・コードを格納できる任意の媒体であってもよい。
【０１１１】
最後に、以上の実施形態は本発明の技術的解決策を説明しようとするものにすぎず、本発明を限定するものではないことに留意されたい。以上の実施形態を参照して本発明を説明したが、当業者は以上の実施形態で説明した技術的解決策に修正を加えてもよく、または、当該実施形態の技術的特徴の一部または全部に対して均等な置換えを行ってもよく、かかる修正と置換えは対応する技術的解決策の本質を本発明の諸実施形態の技術的解決策の範囲から逸脱させるものではないことは当業者には理解される。
【符号の説明】
【０１１２】
９１  取得ユニット
９２  送信ユニット
【図１】
0005970723.tif 000003
【図２】
0005970723.tif 000004
【図３】
0005970723.tif 000005
【図４】
0005970723.tif 000006
【図５Ａ】
0005970723.tif 000007
【図５Ｂ】
0005970723.tif 000008
【図６Ａ】
0005970723.tif 000009
【図６Ｂ】
0005970723.tif 000010
【図７】
0005970723.tif 000011
【図８】
0005970723.tif 000012
【図９】
0005970723.tif 000013